(57)【要約】      （修正有）【課題】予備のサングラスレンズ等を嵩張らずに携帯する。【解決手段】眼鏡フレーム（２０，２０）により支持された第一レンズである左右の矯正用レンズ（１０，１０）のそれぞれの左右両端部近辺に裏面よりメクラ穴（１１，１１ａ）を穿設し、その穴にそれぞれ磁石（１２）を埋設固着し、そして前記左右レンズと同形の第二レンズ（１４，１４）を二枚用意し、それぞれの左右両端部近辺に前記第一レンズのメクラ穴に適合する箇所に裏面からメクラ穴（１５，１５ａ）を穿設し、その穴に磁石（１２ａ）を埋設固着し、二枚の第二レンズをそれぞれ第一レンズに着脱可能にした。【選択図】図１
2011158876.tif 000002
【特許請求の範囲】
【請求項１】
眼鏡フレームにより支持された第一レンズである左右の矯正用レンズのそれぞれの左右両端部近辺に裏面よりメクラ穴を穿設し、その穴にそれぞれ磁石を埋設固着し、そして前記左右レンズと同形の第二レンズを二枚用意し、それぞれの左右両端部近辺に前記第一レンズのメクラ穴に適合する箇所に裏面からメクラ穴を穿設し、その穴に磁石を埋設固着し、前記二枚の第二レンズをそれぞれ前記第一レンズに着脱可能にした事を特徴とする着脱眼鏡セット。
【請求項２】
前記第一及び第二レンズの前表面に穴、又は切り口等の人工的加工による傷口を設けない様にし、磁石を埋設した事を特徴とする請求項１記載の着脱眼鏡セット。
【請求項３】
前記二枚の第二レンズが対のサングラスレンズ、対の調光レンズ、又は対の偏光レンズのいずれか一つの対のレンズである事を特徴とする請求項１記載の着脱眼鏡セット。
【請求項４】
前記二枚の第二レンズが対のサングラスレンズ、対の調光レンズ、又は対の偏光レンズの内の少なくとも二つ以上の対のレンズセットよりなる事を特徴とする請求項１記載の着脱眼鏡セット。
【発明の詳細な説明】
【技術分野】
【０００１】  本発明は、既着の眼鏡レンズにサングラスレンズ等を着脱する着脱眼鏡セットに関する。
【背景技術】
【０００２】  従来、紫外線予防や、眩しさ予防の場合、釣や漁の際に、川や海の波面をはっきり見たいときなどで、既着の眼鏡の上にサングラス眼鏡や、偏光グラス眼鏡等の眼鏡を前掛する、所謂、前掛眼鏡等が用いられてきた。例えば、特開平０９−１０５８８９のように既着の眼鏡に磁石で、サングラス眼鏡などのセットを付ける物が提案されてきている。【０００３】
【特許文献１】特開平０９−１０５８８９
【発明の開示】
【発明が解決しようとする課題】
【０００４】  しかしながら、上記特開平０９−１０５８８９の様に眼鏡を前掛にした物であると、前掛眼鏡を外している場合、眼鏡をもう一つ持って行動しているのと同じであり、嵩張ったり邪魔になったりしていた。又、前掛のサングラス眼鏡の他に、偏光グラス眼鏡の前掛を持参するとなると、全部で眼鏡を三つもって行動するようになるので、アウトドアー等の自由な行動の妨げになってしまっていた。
【課題を解決するための手段】
【０００５】  そこで、本発明に於いては、上記課題を解決する為に、眼鏡フレームにより支持された第一レンズである左右の矯正用レンズのそれぞれの左右両端部近辺に裏面よりメクラ穴を穿設し、その穴にそれぞれ磁石を埋設固着し、そして前記左右レンズと同形の第二レンズを二枚用意し、それぞれの左右両端部近辺に前記第一レンズのメクラ穴に適合する箇所に裏面からメクラ穴を穿設し、その穴に磁石を埋設固着し、二枚の第二レンズをそれぞれ第一レンズに着脱可能にした事を特徴とする着脱眼鏡セットを提案する。【０００６】  そして、前記第一及び第二レンズの前表面に穴、又は切り口等の人工的加工による傷口を設けない様にし、レンズの傷みの防止と、レンズ表面の見栄えを良くした。【０００７】  更に、前記二枚の第二レンズが対のサングラスレンズ、対の調光レンズ、又は対の偏光レンズの内の少なくとも二つ以上の対のレンズセットよりなるようになし、外した場合、持ち運びに便利な様にレンズを重ねる事により嵩張るのを防止した。
【発明の効果】
【０００８】  本発明により、数種類の異なった色や効果を有する前掛レンズセットを持参して使用する場合に於いても、嵩張らずに持ち運び可能となった。又、レンズ前表面に傷をつけることがないので、レンズの見栄えや、レンズを拭く際の指の触感も気にならなくて済む。
【図面の簡単な説明】
【０００７】
【図１】本発明の実施例の斜視図
【図２】本発明の実施例の部分断面図
【図３】本発明の実施例の部分断面図
【図４】本発明の実施例の部分断面図
【図５】本発明の実施例の部分断面図
【図６】本発明の実施例の第二レンズセット平面図
【発明を実施するための最良の形態】
【０００８】  眼鏡フレームにより支持された第一レンズである左右の矯正用レンズのそれぞれの左右両端部近辺に裏面よりメクラ穴を穿設し、その穴にそれぞれ磁石を埋設固着し、そして前記左右レンズと同形の第二レンズを二枚用意し、それぞれの左右両端部近辺に前記第一レンズのメクラ穴に適合する箇所に裏面からメクラ穴を穿設し、その穴に磁石を埋設固着し、二枚の第二レンズをそれぞれ第一レンズに着脱可能にした事を特徴とする着脱眼鏡セット。
【実施例１】
【０００９】  図１は本発明の着脱眼鏡セットの実施例の斜視図であり、眼鏡フレーム２０，２０により支持された第一レンズである左右の矯正用レンズ１０，１０のそれぞれの左右両端部近辺に裏面よりメクラ穴１１，１１ａを穿設し、その穴にそれぞれ磁石１２を埋設固着し、そして前記左右レンズと同形の第二レンズ１４，１４を二枚用意し、それぞれの左右両端部近辺に前記第一レンズのメクラ穴に適合する箇所に裏面からメクラ穴１５，１５ａを穿設し、その穴に磁石１２ａを埋設固着し、二枚の第二レンズをそれぞれ第一レンズに着脱可能な様にした。この第一レンズ１０は、矯正用のレンズが好ましく、そして、第二レンズとしては、色んな色及びデザインのサングラスレンズ、調光レンズでも良く、偏光レンズ、ピンホールレンズ等が好ましい。【００１０】  図２は本発明の実施例の要部断面図であり、眼鏡フレーム２０がフルリムフレームの場合であり、第一レンズ１０と第二レンズ１４は同形で、同じ大きさか、或いはほんの少しリム縁に掛からない程度小さい方が好ましい。又、図からも解る様に、第一レンズ１０の磁石１２はレンズ裏面から設けられたメクラ穴１１から挿入され固着されている。リムレス眼鏡の場合は別にして、眼鏡製造技術者にしても国内のユーザーにしてもレンズ前表面に穴や人工的な傷を設ける事を好まない傾向が強いのでレンズ裏面からメクラ穴を設け、レンズ前表面に引っ掛かりがないように特に仕上げた。そして、最近の磁石は非常に強いのでこの様にしても磁着・吸着力は弱まらずに互いに強く吸着されて実際の使用には差し障りがなかった。【００１１】  図３は本発明の実施例の要部断面図であり、この場合は、眼鏡フレーム２１がハーフリムの場合を表しており、第一レンズ１０ａと第二レンズ１４ａは同形で同じ大きさで良いが第二レンズの磁石１２ｃの位置は心持ち上で良く上部リムに掛からない様にする。【００１２】  図４は本発明の実施例の要部断面図であり、眼鏡フレーム２２がリムレスの場合であり、この場合第一レンズ１０ｂと第二レンズ１４ｂは同形で、同じ大きさでも、少し小さくても大きくても構わない。但し、眼鏡フレームであるレンズ保持部品２５の先端部２５を受け入れるメクラ穴等を第二レンズ１４ｂ裏面側に設けなければならない。【００１３】  図５は、図２から第一レンズ１０に第二レンズ１４を磁着・吸着させた要部断面図であり、第一レンズ１０と第二レンズ１４は同形であり、ほぼ同じ曲率を有しているので、ピッタリと磁着・吸着していて、例え、運動しても、容易に離れはしない。【００１４】  図６は本発明の、請求項４に関する、第二レンズが対のサングラスレンズＬ１、対の調光レンズＬ２、又は対の偏光レンズの内の少なくとも二つ以上の対のレンズセットよりなり、互いに磁石により磁着・吸着され嵩張らずに複数のレンズセットを持ち運ぶ事が出来、色んなシチュエーションででも使用出来、便利である。【００１５】  そして、上記本発明の着脱眼鏡セットは、眼鏡小売店での店頭販売は勿論であるが、今現在使用している眼鏡ユーザーの眼鏡を、オーダーにより加工し、第二レンズを誂えても良い。その場合、インターネット等の通信手段により既着の眼鏡のレンズ玉型の情報を予め送付して貰い、そ���て、注文の第二レンズの種類、又は第二レンズのセットの選択もして貰い、既着の眼鏡を送付してもらう間に、第二レンズを製作しておき、ユーザーの既着の眼鏡の預かり時間を出来るだけ短くして置き加工する事が望ましい。
【産業上の利用可能性】
【００１６】  眼鏡の分野の裾野を広げる事が可能となる。
【符号の説明】
【００１７】１０            矯正用の第一レンズ
１１            第一レンズメクラ穴
１２，１２ａ    磁石
１４            第二レンズ
１５            第二レンズメクラ穴
２０            眼鏡フレーム
Ｌ１，Ｌ２      対のレンズセット
【図１】
2011158876.tif 000003
【図２】
2011158876.tif 000004
【図３】
2011158876.tif 000005
【図４】
2011158876.tif 000006
【図５】
2011158876.tif 000007
【図６】
2011158876.tif 000008